(57)【特許請求の範囲】
【請求項１】
中空状の外側ポールの内部に挿入された内側ポールを前記外側ポールから出入することによって伸縮自在に形成し、全長を所望の長さに調整した後、前記外側ポールと前記内側ポールを相対的に回動させることにより固定する突張伸縮棒の長さ調整機構において、
前記内側ポールの一方側の端部に配置されたバネ部材に弾性的に支持されると共に、表面にネジ溝が設けられた本体と、
前記本体に設けられた前記ネジ溝と螺合するネジ部が設けられた略円筒形状の止着部材と、を備え、
前記本体は、先端側に向かって次第に径が小さくなる略円錐台形状とされると共に、頂部には前記止着部材の移動を阻止するための抜け止めストッパが設けられ、
前記止着部材は、内側面が前記本体の外側面に整合する傾斜面とされ、側面には当該止着部材が弾性変形することによって前記本体に装着可能とするための縦方向に縦断されたスリットが設けられ、
前記外側ポールと前記内側ポールを相対的に回動させることにより前記止着部材の外周面が前記外側ポールの内面との間に僅かに隙間が形成されて前記外側ポールと前記内側ポールとを伸縮自在とする位置と、前記止着部材の外周面が前記外側ポールの内面に密着して前記外側ポールと前記内側ポールとを固定する位置との間で前記止着部材が前記本体上を往復移動するように形成され、
前記止着部材の側壁は、前記本体の基端側から先端側に向かって次第に肉厚が大きくなるように設定され、
前記抜け止めストッパの先端部は、前記止着部材の先端側の内側形状に倣う略円錐台形状とされ、
前記側壁に形成された前記スリットは、先端から基端まで完全に切り欠いてなる１本のスリットと、基端側を残して先端側から縦方向に切り欠いてなる１又は複数本の凹状スリットとで構成されることを特徴とする突張伸縮棒の長さ調整機構。
【請求項２】
請求項１に記載の突張伸縮棒の長さ調整機構において、
前記止着部材は、表面に凹凸が形成されていることを特徴とする突張伸縮棒の長さ調整機構。
【発明の詳細な説明】
【技術分野】
【０００１】
本発明は、突張伸縮棒の長さ調整機構に関し、さらに詳しくは、中空状の外側ポールの内部に挿入された内側ポールを出入することによって全長を所望の長さに調整した後固定する突張伸縮棒の長さ調整機構に関する。
【背景技術】
【０００２】
対向する壁面の間に付勢力をもって配置固定する突張伸縮棒が知られている。このような突張伸縮棒は、パイプを所望の長さに調整した後、付勢力をもって適宜の場所に取り付けるものであり、壁に釘やネジなどを用いる必要がないので取り付けが簡単で、種々の形状のものが実用化されている。そのような突張伸縮棒としては、例えば、特許文献１に示す弾性伸縮棒がある。
【０００３】
特許文献１に示された弾性伸縮棒は、概略として以下のような長さ調整機構を備えている。すなわち、この弾性伸縮棒は、外筒と内筒を有し、内筒の一方側の端部には長軸線方向に移動可能に係合された中心柱が設けられており、先端側に鍔体が形成され、この鍔体と内筒の端部との間にバネ部材が装着されている。また、中心柱のバネ部材が装着された側とは反対側には本体が設けられ、この本体に固定挟持体と遊動挟持体が螺合している。そして、固定挟持体と遊動挟持体のそれぞれの外周面はそれぞれの端面が対向する側に向かって内側に切れ込んだ傾斜面とされている。遊動挟持体は内筒の回動に伴って外筒内をその長軸線方向に往復動可能に配置されている。そして、固定挟持体と遊動挟持体には、内面が固定挟持体と遊動挟持体の傾斜面に対応する傾斜面とされた円筒を３つに分割した分割押圧体が螺合するように配置されている。
【０００４】
このような構造において、内筒を回動させると、その回動方向に応じて遊動挟持体が本体材に沿って往復移動する。固定挟持体と遊動挟持体との距離が長くなると分割押圧体の側面は外筒の内径よりも狭くなるので外筒と内筒は互いにフリーな状態となり、長さの調整を行うことができる。一方、固定挟持体と遊動挟持体との距離が短くなると分割押圧体の側面は外筒の内壁面を押圧する方向に付勢されるので外筒と内筒は固定されることになる。
【先行技術文献】
【特許文献】
【０００５】
【特許文献１】特許第３６３１４２１号公報
【発明の概要】
【発明が解決しようとする課題】
【０００６】
上述した特許文献１の弾性伸縮棒における長さ調整機構は、中心柱、バネ部材、本体、固定挟持体、遊動挟持体、３つの分割押圧体によって構成されており、構造が複雑で部品点数も多いという問題がある。また、分割押圧体は３つに分割されているのでバラバラになって組み立ても面倒である。
【０００７】
そこで、本願発明は、かかる問題点に鑑みなされたもので、構造が簡単で部品点数も少ない突張伸縮棒の長さ調整機構を提供することを目的とする。
【０００８】
また、本願発明は、組立の簡単な突張伸縮棒の長さ調整機構を提供することを目的とする。
【課題を解決するための手段】
【０００９】
上記課題を解決するために請求項１に記載の本発明は、中空状の外側ポールの内部に挿入された内側ポールを前記外側ポールから出入することによって伸縮自在に形成し、全長を所望の長さに調整した後、前記外側ポールと前記内側ポールを相対的に回動させることにより固定する突張伸縮棒の長さ調整機構において、前記内側ポールの一方側の端部に配置されたバネ部材に弾性的に支持されると共に、表面にネジ溝が設けられた本体と、前記本体に設けられた前記ネジ溝と螺合するネジ部が設けられた略円筒形状の止着部材とを備え、前記本体は、先端側に向かって次第に径が小さくなる略円錐台形状とされると共に、頂部には前記止着部材の移動を阻止するための抜け止めストッパが設けられ、前記止着部材は、内側面が前記本体の外側面に整合する傾斜面とされ、側面には当該止着部材が弾性変形することによって前記本体に装着可能とするための縦方向に縦断されたスリットが設けられ、前記外側ポールと前記内側ポールを相対的に回動させることにより前記止着部材の外周面が前記外側ポールの内面との間に僅かに隙間が形成されて前記外側ポールと前記内側ポールとを伸縮自在とする位置と、前記止着部材の外周面が前記外側ポールの内面に密着して前記外側ポールと前記内側ポールとを固定する位置との間で前記止着部材が前記本体上を往復移動するように形成され、前記止着部材の側壁は、前記本体の基端側から先端側に向かって次第に肉厚が大きくなるように設定され、前記抜け止めストッパの先端部は、前記止着部材の先端側の内側形状に倣う略円錐台形状とされ、前記側壁に形成された前記スリットは、先端から基端まで完全に切り欠いてなる１本のスリットと、基端側を残して先端側から縦方向に切り欠いてなる１又は複数本の凹状スリットとで構成されることを特徴とする。
【００１１】
上記課題を解決するために請求項２に記載の本発明は、請求項１に記載の突張伸縮棒の長さ調整機構において、前記止着部材は、表面に凹凸が形成されていることを特徴とする。
【発明の効果】
【００１３】
本発明に係る突張伸縮棒の長さ調整機構によれば、本体と止着部材のみによって外側ポールと内側ポールの伸縮及び固定を実現することができるため、部品点数が少なく、且つ構造が簡単な突張伸縮棒の長さ調整機構を提供することができるという効果がある。
【００１４】
また、本発明に係る突張伸縮棒の長さ調整機構によれば、止着部材はバラバラになることなく組み立ても極めて簡単且つ迅速に行うことができるという効果がある。
【図面の簡単な説明】
【００１５】
【図１】（ａ）は本発明に係る突張伸縮棒の長さ調整機構を備えた突出伸縮棒を伸長させた状態を示す平面図、（ｂ）は縮めた状態を示す正面図である。
【図２】本発明に係る突張伸縮棒の長さ調整機構の構成を示す正面図である。
【図３】（ａ）は止着部材の平面図、（ｂ）は止着部材の底面図、（ｃ）は止着部材の側面図である。
【図４】本体と止着部材に隙間がある状態を示す説明図である。
【図５】本体と止着部材が密接した状態を示す説明図である。
【発明を実施するための形態】
【００１６】
以下、本発明に係る突張伸縮棒の長さ調整機構について、好ましい一実施形態に基づいて詳細に説明する。図１は本発明に係る突張伸縮棒の長さ調整機構を備えた突出伸縮棒の全体を示す正面図、図２は本発明に係る突張伸縮棒の長さ調整機構の構成を示す正面図である。
【００１７】
［突張伸縮棒１の構成］
図示された突張伸縮棒１は、円筒状のパイプ材によって形成された内側ポール１１と外側ポール１２を備え、内側ポール１１の外径は外側ポール１２の内径よりもやや小さく、内側ポール１１が外側ポール１２内に収容可能な大きさに形成されている。また、内側ポール１１と外側ポール１２は、金属製、例えばアルミのパイプ材によって形成されている。尚、材質は金属製に限定されるものではなく、合成樹脂製や金属と合成樹脂の複合材など適宜の材料で形成することができる。内側ポール１１と外側ポール１２の開放端側にはストッパ部材１３，１３が取り付けられている。ストッパ部材１３，１３は、突張伸縮棒１を取り付けるべき壁面などから容易に脱落することなくしっかりと密接できるように摩擦係数の高い合成ゴムなどによって形成されている。また、内側ポール１１が進入後退する側の外側ポール１２の端部には内側ポール１１の進入後退を案内する合成樹脂製の案内部材１５が取り付けられている。そして、この内側ポール１１の一方側の端部に長さ調整機構１が設けられている。
【００１８】
［長さ調整機構１の構成］
長さ調整機構１は、内側ポール１１の一方側の端部に配置されたバネ部材４０に弾性的に支持されており、表面にネジ溝２１が設けられた本体２０と、内部に本体２０に設けられたネジ溝２１と螺合するネジ部３１が設けられた略円筒形状の止着部材３０を備えて構成されている。
【００１９】
バネ部材４０は、図２に示すように、内側ポール１１の一方側の端部に配置されている。このバネ部材４０は以下のようにして内側ポール１１の一方側の端部に配置されている。すなわち、内側ポール１１の一方側の端部にはリング状の基端部材４３が内側ポール１１を直径方向に貫通するピン４５によって固定されており、この基端部材４３にバネ部材４０の一方側の端部が支持されている。そして、円筒部を備えた支持部材４１が基端部材４３に設けられたリング状の孔に一部が挿入された状態で配置されており、支持部材４１の先端側には内側ポール１１の外径と略同じ径サイズを有する鍔部４１ｂが形成されており、バネ部材４０は、基端部材４３と支持部材４１の鍔部４１ｂとの間に介在するようにして配置されている。そして、本体２０がこのバネ部材４０に弾性的に支持されている。
【００２０】
尚、支持部材４１には対向する側面に略Ｕ字形状の切り欠き部４１ａ，４１ａが設けられており、バネ部材４０は突張伸縮棒１を壁等の間に取り付けたときにストッパ部材１３，１３に付勢力を付与することで容易に落下しないようにしっかりと固定されるように作用する。また、支持部材４１の側面に設けられた略Ｕ字形状の切り欠き部４１ａ，４１は、支持部材４１が押圧されてバネ４０が縮んだ際に内側ポール１１を貫通するピン４５を避けることによって圧縮動作が妨げられないようにするために設けられている。
【００２１】
本体２０は、先端側、すなわち、図２における上方側に向かって次第に径が小さくなる略円錐台形状とされており、頂部には本体２０に取り付けられた止着部材３０が上方側へ向かってさらに移動するのを阻止するための抜け止めストッパ２３が設けられている。そして、本体２０の表面にはネジ溝２１が設けられている。尚、本体２０の傾斜は約５〜１５°とされている。
【００２２】
止着部材３０は、内側面が略円筒形状に形成された本体２０の外側面に整合するように傾斜した傾斜面とされており、図２における上方に向かって次第に径が小さくなるように形成されている。止着部材３０の内側面には本体２０に設けられたネジ溝２１と螺合するネジ部３１が設けられている。一方、止着部材３０の側面には止着部材３０が弾性変形することによって本体２０に装着可能とするために縦方向に縦断されたスリット３３が設けられている。また、止着部材３０の側面には、所定の間隔を有して２箇所に凹状スリット３５，３５が設けられている。本実施形態では凹状スリット３５は２箇所に形成されているが、１箇所でもよく、また、２箇所以上設けてもよい。止着部材３０の表面には凹凸が形成されている。凹凸は側面の縦方向に一定間隔を有して設けられている。尚、止着部材３０は可撓性を有する合成樹脂材料によって形成されている。
【００２３】
［長さ調整機構１の動作］
次に、以上のように形成された長さ調整機構１の動作について説明する。本体２０に止着部材３０を装着し本体２０のネジ溝２１と止着部材３０のネジ部３１を螺合させた状態で、図４に示すように、外側ポール１２の内部に挿入する。この場合、予め止着部材３０を外側ポール１２内にスムーズに挿入できる位置、すなわち、本体２０の先端側に近い位置に配置しておく。そして、長さ調整機構１が設けられた側とは反対側の内側ポール１１の端部を案内部材１５が設けられた側とは反対側から挿入し、内側ポール１１の反対側の端部を外側ポール１２の案内部材１５が設けられた側の端部から突出させる。そして、内側ポール１１の挿入長さを適宜に調整して全体を所望の長さに設定した後、内側ポール１１と外側ポール１２を相対的に回動させる。
【００２４】
回動に際しては、止着部材３０の側面と外側ポール１２の内面との隙間は僅かであるため、内側ポール１１と外側ポール１２をやや湾曲させるようにして回動させると止着部材３０の側面の一部が外側ポール１２の内面と容易に接触する。この状態で回動動作を行うと、止着部材３０は外側ポール１２の内面に接触した状態となって外側ポール１２と共に回動を開始する。これにより、止着部材３０は本体２０のネジ溝２１に案内されるようにして回転しながら本体２０上を基端側（図４に示すＡ方向）に向かって移動する。このとき、止着部材３０にはスリット３３及び凹状スリット３５，３５が設けられているのでスリット３３及び凹状スリット３５，３５の開口部側が次第に拡開しながら基端側に移動する。止着部材３０が次第に拡開することによって止着部材３０の外周面が外側ポール１２の内面に密接するように押圧されるので内側ポール１１は外側ポール１２に固定されることになる。また、止着部材３０の表面には凹凸が形成されているので確実に外側ポール１２の内面に固定することができる。また、取り付けに際しては、バネ部材４０の弾性力で取り付け面、例えば、壁面に付勢された状態でしっかりと取り付けられるので容易に脱落することはない。
【００２５】
一方、固定されている状態の内側ポール１１と外側ポール１２を上記とは反対方向、すなわち、止着部材３０が先端側へ向かう方向（図４に示すＢ方向）に回動させると、止着部材３０の側面と外側ポールの内面との間に僅かに隙間が形成され、止着部材３０の外周面が外側ポールの内面を押圧する力が解除されるので、その結果、内側ポール１１は外側ポール１２内を移動可能な状態となる。これにより内側ポール１１と外側ポール１２はフリーな状態となり、突張伸縮棒１を所望の長さに調整することができる。尚、本体２０の頂部には抜け止めストッパ２３が設けられているので止着部材３０は本体２０から外れることはない。
【００２６】
本実施形態における突張伸縮棒の長さ調整機構１によれば、本体２０と止着部材３０のみによって外側ポール１２と内側ポール１１の伸縮及び固定を実現することができるため、部品点数が少なく、且つ構造が簡単であるという効果がある、また、本発明に係る突張伸縮棒の長さ調整機構１によれば、止着部材３０一体に形成されているのでバラバラになることなく組み立ても極めて簡単且つ迅速に行うことができるという効果がある。
【００２７】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００２８】
１      長さ調整機構
１１      内側ポール
１２      外側ポール
１３      ストッパ部材
１５      案内部材
２０      本体
２１      ネジ溝
２３      抜け止めストッパ
３０      止着部材
３１      ネジ部
３３      スリット
３５      凹状スリット
４０      バネ部材
４１      支持部材
４１ａ      切り欠き部
４３      基端部材
４５      ピン
【図１】
0006606417.tif 000002
【図２】
0006606417.tif 000003
【図３】
0006606417.tif 000004
【図４】
0006606417.tif 000005
【図５】
0006606417.tif 000006